(57)【要約】【目的】  本発明は、本発明は、特に入学児童が使用するのに適した学習用の椅子に関するものであり、簡単な構造で、安価に製作可能で、特別仕様のガスシリンダーを必要としないで、座面高さが３００ミリメートルから、４６０ミリメートルまで、無段階調節出来る椅子を提供する事を目的とする。【構成】  座席部と、座席部を所定の範囲で高さ調節可能に支持するガスシリンダーを有する脚柱と、脚柱が密嵌する脚柱保持部材と、脚柱保持部材が連結される脚体より構成され、脚体には上下方向に貫通する脚柱保持部材の連結孔が形成され、脚柱保持部材と連結孔間に設けられた連結高さ選択手段によって、少なくとも脚柱保持部材の上半部が連結孔の上方に突出する状態と、脚柱保持部材の下半部が連結孔の下方に突出する状態に連結高さ変更可能としたものである。【選択図】   図３
2007319500.tif 000002
【特許請求の範囲】
【請求項１】
座席部と、座席部を所定の範囲で高さ調節可能に支持するガスシリンダーを有する脚柱と、脚柱が密嵌する脚柱保持部材と、脚柱保持部材が連結される脚体より構成され、脚体には上下方向に貫通する脚柱保持部材の連結孔が形成され、脚柱保持部材と連結孔間に設けられた連結高さ選択手段によって、少なくとも脚柱保持部材の上半部が連結孔の上方に突出する状態と、脚柱保持部材の下半部が連結孔の下方に突出する状態に連結高さ変更可能としたことを特徴とする椅子。
【請求項２】
連結高さ選択手段は、連結孔の内面上部に形成された縦長の嵌合凹部と、連結孔の内面で上下方向に貫通して形成された挿通用凹溝と、脚柱保持部材の外面下部に形成された、上記嵌合凹部に嵌合する下部嵌合突条と、下部嵌合突条が挿通用凹溝を挿通して連結孔の下方に位置した状態で、上記嵌合凹部に嵌合する脚柱保持部材の外面上部に形成された上部嵌合突条より構成されていることを特徴とする請求項１に記載の椅子。
【発明の詳細な説明】
【技術分野】
【０００１】
本発明は、特に入学児童が使用するのに適した学習用の椅子に関するものである。
【背景技術】
【０００２】
この種の椅子は、小学校入学児童の体格に適した座面高さ（座位基準点３００ミリメートル）から、成人の体格に適した座面高さ（４６０ミリメートル）まで、無段階に高さ調整できることが望ましい。
そして、無段階に高さ調節する手段として、品質面、コスト面、使用の操作性等から、ガスシリンダーが一般的に用いられる。
ところが、座面高さの調節範囲は、ガスシリンダーのピストンロッドのストロークに左右されるので、ピストンロッドのストロークを大きくするには、ピストンロッドが格納されるシリンダー本体を長く形成する必要がある。
一方、最も低い位置の座面高さを３００ミリメートルに設定すると、座面及び座面を支持する支持機構の厚み（ほぼ１００ミリメートル強）を差し引くと、使用できるガスシリンダーの長さは当然短くなり（一般的には２００ミリメートル弱）、当然、ピストンロッドのストロークも短くなる（７０ミリメートル前後）ので、座面を４６０ミリメートルまで上昇させることができなかった。
したがって、従来、ガスシリンダーを使用した椅子で、座面高さが３００ミリメートルから４６０ミリメートルまで無段階に調節できる椅子が提供されることはなかった。
【発明の開示】
【発明が解決しようとする課題】
【０００３】
本発明は、簡単な構造で、安価に製作可能で、特別仕様のガスシリンダーを必要としないで、座面高さが３００ミリメートルから、４６０ミリメートルまで、無段階調節出来る椅子を提供する事を課題とする。
【課題を解決するための手段】
【０００４】
そこで、上記課題を解決する為、本発明が第１の手段として構成したところは、座席部と、座席部を所定の範囲で高さ調節可能に支持するガスシリンダーを有する脚柱と、脚柱が密嵌する脚柱保持部材と、脚柱保持部材が連結される脚体より構成され、脚体には上下方向に貫通する脚柱保持部材の連結孔が形成され、脚柱保持部材と連結孔間に設けられた連結高さ選択手段によって、少なくとも脚柱保持部材の上半部が連結孔の上方に突出する状態と、脚柱保持部材の下半部が連結孔の下方に突出する状態に連結高さ変更可能としたものである。
【０００５】
次に本発明が第２の手段として構成したところは、前記構成に加え、連結高さ選択手段は、連結孔の内面上部に形成された縦長の嵌合凹部と、連結孔の内面で上下方向に貫通して形成された挿通用凹溝と、脚柱保持部材の外面下部に形成された、上記嵌合凹部に嵌合する下部嵌合突条と、下部嵌合突条が挿通用凹溝を挿通して連結孔の下方に位置した状態で、上記嵌合凹部に嵌合する脚柱保持部材の外面上部に形成された上部嵌合突条より構成されているものである。
【発明の効果】
【０００６】
請求項１に記載の発明によると、脚柱を脚柱保持部材を介して脚体に連結する構成とし、脚柱保持部材を連結高さ選択手段によって脚体の連結孔に、下方に突出する状態と、上方に突出する状態に連結高さ変更可能としたので、連結範囲を大きく設定することが出来、シリンダー本体が短くても連結位置をかえることで広範囲にわたって座面高さの調節が可能となる。
連結高さをかえるため脚柱保持部材が必要となるが、追加される部品点数は最小限であから、特別仕様のガスシリンダーを採用するより安価に製作出来る。
【０００７】
請求項２に記載の発明によると、連結高さ選択手段は、連結孔に形成した嵌合凹部と挿通用凹溝と、脚柱保持部材に形成した下部嵌合突条と部嵌合突条より構成されているので、
連結孔を形成するときと脚柱保持部材を成形するときに同時に形成することが可能であるから、特別の加工手間を必要とせず安価に製作でき、上方から、脚柱保持部材を差し込むだけの作業で、連結高さの選択ができるので、高さ変更作業が容易であり手軽に行なうことが出来る。
【発明を実施するための最良の形態】
【０００８】
本発明は、座席部と、座席部を所定の範囲で高さ調節可能に支持するガスシリンダーを有する脚柱と、脚柱が密嵌する脚柱保持部材と、脚柱保持部材が連結される脚体より構成され、脚体には上下方向に貫通する脚柱保持部材の連結孔が形成され、脚柱保持部材と連結孔間に設けられた連結高さ選択手段によって、少なくとも脚柱保持部材の上半部が連結孔の上方に突出する状態と、脚柱保持部材の下半部が連結孔の下方に突出する状態に連結高さ変更可能となし、連結高さ選択手段は、連結孔の内面上部に形成された縦長の嵌合凹部と、連結孔の内面で上下方向に貫通して形成された挿通用凹溝と、脚柱保持部材の外面下部に形成された、上記嵌合凹部に嵌合する下部嵌合突条と、下部嵌合突条が挿通用凹溝を挿通して連結孔の下方に位置した状態で、上記嵌合凹部に嵌合する脚柱保持部材の外面上部に形成された上部嵌合突条より構成されているものである。
【実施例】
【０００９】
以下、実施例を図１〜図１１に基づいて説明する。
図１において、符号１００は本発明の椅子を示し、椅子１００は、座席体１と、脚体２と、脚柱３と、脚柱３と脚体２間に設けられた脚柱保持部材７より構成されている。
【００１０】
座席体１は、前側がやや下がり気味に傾斜した座部１１と、座部１１の下面に端部が揺動可能に連結された背もたれ杆１２を介して、座部１１の後部上方に設けられた背もたれ部１３と、座部１１下面に配設された、背もたれ杆１２と脚柱３の上端が連結される脚柱取付部１４より構成されている。
脚体２は、正５角形の中心から各角部に放射状に突出し、合成樹脂材より一体に成形された５本の脚羽根２１・・・と、脚羽根２１・・・の先端部に設けられたキャスター２２・・・より構成されている。
そして、脚羽根２１・・・の中心部には上下方向に貫通する連結孔６が形成されている
脚柱３は、ガスシリンダー３１と、ガスシリンダー３１を昇降自在に保持するサポート
チューブ５より構成されている。
【００１１】
ガスシリンダー３１は、図３、図４に示す如く、上端部を上方に向かって小径となしたシリンダー本体３１１と、シリンダー本体３１１の下端面中央から下方に、シリンダー本体３１１と回転および出入自在に突出するピストンロッド３１２より構成され、ピストンロッド３１２の下端部には、サポートチューブ５の下端面に抜け止め支持されるピストンロッド固定部３１４が形成されている。
そして、ガスシリンダー本体３１１の上端が、座部１１下面に配設された脚柱取付部１４に形成されたガスシリンダー取付凹部（図示せず。）に密嵌して固定され、座部１１の回転と共にガスシリンダー本体３１１も回転する構成となっている。符号３０はガスシリンダー３１の操作レバーを示している。
【００１２】
サポートチューブ５は、図３、図４、図６、図７に示す如く、下端部が下方に向かって小径となるテーパー状で、脚柱保持部材７に密嵌する外筒部５１と、外筒部５１の上半部内に保持され、シリンダー本体３１１に外嵌して、ガスシリンダー３１を回転自在に保持する合成樹脂製のサポート部材５２より構成され、外筒部５１の底部にはピストンロッド３１２が抜け止め連結されるガスシリンダー支持部５１１が形成されている。
【００１３】
サポート部材５２は、図６に示すように、外筒部５１の上端面に当接する上端縁部５２２と、上端縁部５２２の下方に位置し外筒部５１の上端部内に嵌入する嵌入部５２４と、上端縁部５２２と嵌入部５２４の中央部上端から下方に貫通する、シリンダー本体３１１の嵌挿孔５２５を上下方向に有するシリンダー本体保持部５２７と、シリンダー本体保持部５２７の外面から外方に放射状に突出し、外筒部５１の内面に当接する補強凸条５２８・・・より合成樹脂材にて一体に成形されて構成されている。
そして、嵌入部５２４にはサポートチューブ５の外筒部５１の上端に形成されたサポート部材固定孔（図示せず。）に対応して連結用螺孔５０１が形成され、サポート部材５２が外筒部５１に嵌入した状態で、サポート部材固定孔を介して連結用螺孔５０１に連結ネジ５０が螺合することにより、サポート部材５２は外筒部５１に回転不能に連結される。
【００１４】
上記のように構成された脚柱３は、脚柱保持部材７及び連結高さ選択手段８を介して脚体２の連結孔６に対し所定高さで連結される。
脚柱保持部部材７は、図３、図４、図８に示すように中央部上下方向に、下端部が下方に向かって小径となるテーパー状で、前記サポートチューブ５の外筒部５１が密嵌する外筒保持孔７１を有する連結用筒部７２と、連結用筒部７２の上端に連設され、脚体２の連結孔６より大径の円形縁部７３と、脚柱保持部材７の外面に設けられ、連結孔６間に形成される連結高さ選択手段８の一方側となる下部嵌合突条８１、８１と上部嵌合突条８２、８２から、合成樹脂材より一体に成形され構成されている。
そして、連結孔６に脚柱保持部部材７の連結用筒部７２が、上下方向に移動可能で極めて密に嵌入するように、連結孔６と脚柱保持部材７は形成されている。
符号７０、７０は、連結孔６と脚柱保持部材７の連結状態を維持するために設けられた抜け止め用螺孔を示している。
【００１５】
そして、連結高さ選択手段８は、脚体２の連結孔６の内面に対向して形成された嵌合用凹部６１、６１と挿通用凹溝６２、６２と、脚柱保持部材７の外面に対向して形成された下部嵌合突条８１、８１と上部嵌合突条８２、８２より構成されている。
すなわち、嵌合用凹部６１は連結孔６の上下方向の上部側略半分程度の高さで、上端面と内側面が開口する形状をなし、挿通用凹溝６２は嵌合用凹部６１と横断面同形で、連結孔６の上下方向全幅にわたって（上下端面と内側面が開口する形状に）、脚羽根２１・・・の成形時に連結孔６と同時に一体成形される。
【００１６】
一方、上部嵌合突条８２は、嵌合用凹部６１に嵌合する形状と大きさに脚柱保持部材７の連結用筒部７２の外面上部に外方に突出して、脚柱保持部材７と一体に成形されている。
下部嵌合突条８１は、連結用筒部７２の下端縁と連結孔６の下端縁がほぼ一致した状態で、上記嵌合用凹部６１に嵌合する位置に、前記上部嵌合突条８２と同一形状と大きさで、脚柱保持部材７の連結用筒部７２の外面下部に外方に突出して、脚柱保持部材７と一体に成形されている。
尚、実施例１では、下部嵌合突条８１は上記のように形成されているが、上端を円形縁部７３の下面まで延出して形成しても良い。
【００１７】
連結高さ選択手段８は上記のように構成され、座面高さを４６０ミリメートルまで上昇出来る椅子１００とするには、座席体１と連結された脚柱３に密嵌して一体化された脚柱保持部材７の下部嵌合突条８１、８１を連結孔６の嵌合用凹部６１、６１の上方から嵌合し、同時に連結用筒部７２の下部を連結孔６の内面で保持し、脚体２の中央部裏面側から上がり止めネジ６０を下側の抜け止め用螺孔７０に螺合し、脚体２と脚柱保持部材７を連結する。
この状態で、脚体保持部材７の上半部が連結孔６の上方に突出した状態となり、ガスシリンダー３１を最も短縮させた状態で、座面高さは３９０ミリメートルとなり、ガスシリンダー３１を最も伸長させた状態で座面高さは４６０ミリメートルとなる
【００１８】
次に座面高さを３００ミリメートルまで下げることが出来る椅子１００とするには、上がり止めネジ６０を取外し、座席体１、脚柱３と共に脚柱保持部材７を連結孔６より上方に抜き出し、脚柱保持部材７を９０度回動させた状態で、下部嵌合突条８１、８１を挿通用凹溝６２、６２の上方から貫挿させ、嵌合用凹部６１、６１の上方から上部嵌合突条８２、８２を嵌合し、同時に連結用筒部７２の上部を連結孔６の内面で保持し、脚体２の中央部裏面側から上がり止めネジ６０を上側の抜け止め用螺孔７０に螺合し、脚体２と脚柱保持部材７を連結する。
この状態で、脚体保持部材７の下半部が連結孔６の下方に突出した状態となり、実施例１では、ガスシリンダー３１を最も短縮させた状態で、座面高さは３００ミリメートルとなり、ガスシリンダー３１を最も伸長させた状態で座面高さは３７０ミリメートルとなる。
すなわち、身長１２００ミリメートルから１４２０ミリメートルでは、座面高さが３００ミリメートルから３７０ミリメートルまで無段階で高さ調節可能となる椅子１００として、又、身長１４５０ミリメートル以上では、座面高さが３９０ミリメートルから４６０ミリメートルまで無段階で高さ調節可能となる椅子１００として、児童の成長に対応して座面の高さを調節して使用することが出来る。
【図面の簡単な説明】
【００１９】
【図１】本発明の正面図
【図２】図１のＡ−Ａ線拡大断面図
【図３】図２のＢ−Ｂ線要部断面図
【図４】脚柱保持部材を下側に連結した状態の要部縦断面図
【図５】図４のＣ−Ｃ線要部断面図
【図６】サポート部材の斜視図
【図７】脚柱の正面図
【図８】脚柱保持部材の斜視図
【図９】座面高さを３９０ミリメートルとした状態の正面図
【図１０】座面高さを３００ミリメートルとした状態の正面図
【図１１】座面高さを３７０ミリメートルとした状態の正面図
【符号の説明】
【００２０】
１        座席体
１００    椅子
２        脚体
３        脚柱
３１      ガスシリンダー
６        連結孔      
６１      嵌合凹部
６２      挿通用凹溝
７        脚体保持部材
８        連結高さ選択手段
８１      下部嵌合突条
８２      上部嵌合突条
【図１】
2007319500.tif 000003
【図２】
2007319500.tif 000004
【図３】
2007319500.tif 000005
【図４】
2007319500.tif 000006
【図５】
2007319500.tif 000007
【図６】
2007319500.tif 000008
【図７】
2007319500.tif 000009
【図８】
2007319500.tif 000010
【図９】
2007319500.tif 000011
【図１０】
2007319500.tif 000012
【図１１】
2007319500.tif 000013